(57)【要約】  【課題】  機器本体を大型化することなく、記録媒体の着脱操作を容易に行うことができ、しかも機器本体内に収容される曲面部を有する部材と媒体装着部の新たなレイアウトによって機器本体の設計自由度を高める。  【解決手段】  電子機器は、それぞれ曲面部を有する第１および第２の部材２１，２４を、該曲面部の曲率中心軸ｏ，ｏ′が互いに略平行に延びるように収容する機器本体２０と、記録媒体２５が着脱可能に装着される媒体装着部２６とを有する。第１および第２の部材が機器本体内に収容されている状態において、媒体装着部は第１の部材と第２の部材との間に設けられ、かつ媒体装着部に対する記録媒体の着脱を行うための着脱空間Ｓが該第１および第２の部材の曲面部に沿って機器本体の外側に向かって広がるように形成されている。【選択図】  図１
2006319806.tif 000002
【特許請求の範囲】
【請求項１】
それぞれ曲面部を有する第１および第２の部材を、該曲面部の曲率中心軸が互いに略平行に延びるように収容する機器本体と、
記録媒体が着脱可能に装着される媒体装着部とを有し、
前記第１および第２の部材が前記機器本体内に収容されている状態において、
前記媒体装着部が前記第１の部材と前記第２の部材との間に設けられており、
かつ前記媒体装着部に対する前記記録媒体の着脱を行うための着脱空間が、該第１および第２の部材の前記曲面部に沿って前記機器本体の外側に向かって広がるように形成されていることを特徴とする電子機器。
【請求項２】
前記媒体装着部に、前記記録媒体の一部が、前記機器本体内に収容された前記第１および第２の部材の前記曲率中心軸を結んだ線よりも前記機器本体の外側に近い領域に位置するように該記録媒体が装着されることを特徴とする請求項１に記載の電子機器。
【請求項３】
前記媒体保持部は、装着された前記記録媒体を前記機器本体の外側に向かって押し出す押し出し機構を含み、
該押し出し機構の操作部が、前記機器本体内に収容された前記第１および第２の部材の前記曲率中心軸を結んだ線よりも前記機器本体の外側に近い領域に位置することを特徴とする請求項１に記載の電子機器。
【請求項４】
前記第１および第２の部材のうち少なくとも一方は、前記曲面部としての円筒面又は円弧面の一部を構成する曲面を有することを特徴とする請求項１から３のいずれか１つに記載の電子機器。
【請求項５】
前記第１および第２の部材のうち少なくとも一方が、電池であることを特徴とする請求項１から４のいずれか１つに記載の電子機器。
【請求項６】
前記第１および第２の部材のうち少なくとも一方が、モータであることを特徴とする請求項１から５のいずれか１つに記載の電子機器。
【請求項７】
前記第１および第２の部材のうち少なくとも一方が、コンデンサであることを特徴とする請求項１から６のいずれか１つに記載の電子機器。
【請求項８】
前記第１および第２の部材と前記媒体装着部は、該電子本体のグリップ部内に収容されることを特徴とする請求項１から７のいずれか１つに記載の電子機器。
【請求項９】
該電子機器は、撮像素子と、該撮像素子により取得された画像を前記記録媒体に記録する回路とを有する撮像装置であることを特徴とする請求項１から８のいずれか１つに記載の電子機器。
【発明の詳細な説明】
【技術分野】
【０００１】
本発明は、外部メモリ等の記録媒体が装着される媒体装着部を内蔵したデジタルカメラ等の電子機器に関するものである。
【背景技術】
【０００２】
図９には、従来のデジタルカメラのグリップ部（撮影者がカメラを握る部分）の内部構造を、上面から見て示している（例えば、特許文献１参照）。
【０００３】
この図において、１００はカメラボディのグリップ部であり、該グリップ部１００内には、４つの円筒形状の部材（以下、円筒部材という）１１０〜１１３、例えば電池が収容されている。
【０００４】
１０３は外部メモリ１０４を装着するためのメモリソケット（メモリスロット）である。外部メモリ１０４は、不図示の撮像素子により取得された画像の情報を記録するカード型の記録媒体である。
【０００５】
１０５は該ソケットに設けられた基板であり、外部メモリ１０４と電気的に接続されるコネクタ（図示せず）を支持する。外部メモリ１０４は、メモリソケット１０３に対してグリップ部１００の側方から指１０６で押し込まれて装着される。
メモリソケット１０３の挿入口を覆う蓋部材１０２は、グリップ部１００にヒンジ１０２ａを介して回動（開閉）可能に組み付けられている。蓋部材１０２の先端部には、ラッチ爪１０２ｂが設けられており、該ラッチ爪１０２ｂがグリップ部１００の内側に係合することによって、蓋部材１０２は閉じ状態にロックされる。
【０００６】
そして、円筒部材１１０〜１１３とソケット１０３のレイアウトは、グリップ部１００、ひいてはカメラボディをできるだけコンパクト化できるように、また外部メモリ１０４の着脱操作が容易となるように決定されている。
【特許文献１】特開２００４−２０８０２８号公報（図１）
【発明の開示】
【発明が解決しようとする課題】
【０００７】
従来、グリップ部１００内に、図９に示すような円筒部材（特に、電池）１１０〜１１３およびソケット１０４を配置する場合、電極や配線の関係上、４つの円筒部材１１０〜１１３をひとまとめにしてグリップ部１００内に配置した上で、メモリソケット１０３を４つの円筒部材１１０〜１１３よりも背面側（図中の上側）に配置することが普通であり、これ以外のレイアウトはほとんど検討されていなかった。すなわち、円筒部材１１０〜１１３とメモリソケット１０３のレイアウトの選択枝はきわめて少なく、これに伴いカメラボディの設計自由度も低かった。
【０００８】
そこで、本発明は、機器本体を大型化することなく、記録媒体の着脱操作を容易に行うことができ、しかも機器本体内に収容される曲面部を有する部材と媒体装着部の新たなレイアウトによって機器本体の設計自由度を高めることができるようにした電子機器を提供することを目的としている。
【課題を解決するための手段】
【０００９】
本発明の一側面としての本発明の電子機器は、それぞれ曲面部を有する第１および第２の部材を、該曲面部の曲率中心軸が互いに略平行に延びるように収容する機器本体と、記録媒体が着脱可能に装着される媒体装着部とを有する。そして、第１および第２の部材が機器本体内に収容されている状態において、媒体装着部が第１の部材と第２の部材との間に設けられ、かつ媒体装着部に対する記録媒体の着脱を行うための着脱空間が、該第１および第２の部材の曲面部に沿って機器本体の外側に向かって広がるように形成されていることを特徴とする。
【発明の効果】
【００１０】
本発明によれば、第１および第２の部材の間に媒体装着部を配置した上で、記録媒体の着脱空間を第１および第２の部材の曲面部に沿って外側に向かって広がるように形成することで、機器本体の大型化を招くことなく記録媒体の良好な着脱操作性を確保でき、また機器本体の設計自由度を高めることができる。
【発明を実施するための最良の形態】
【００１１】
以下、本発明の実施例について図面を参照しながら説明する。
【実施例１】
【００１２】
図１〜図４には、本発明の実施例１である電子機器としての一眼レフデジタルカメラの構成を示している。
【００１３】
まず、図２には、本実施例のカメラの外観を示している。図２において、１はカメラボディであり、その前面（正面）には、不図示のマウントを介して交換レンズ７が装着されている。
【００１４】
２はカメラボディ１に対してポップアップが可能なフラッシュユニット（図では、ポップダウン状態を示す）である。３はカメラボディ１の上部外装であり、４は撮影モードを変更するためのダイヤルである。
【００１５】
カメラボディ１のうち正面から見て左側の部分には、撮影者が手で握るためのグリップ部２０が形成されている。このグリップ部２０の上面には、レリーズボタン５が配置されている。また、６はカメラボディ１の前部外装である。
【００１６】
Eは交換レンズ７の光軸（以下、撮影光軸という）、８はフラッシュユニット２のポップダウン状態での係止を手動で解除してポップアップさせるためのポップアップボタンである。９は交換レンズ７の装着ロックを解除するためのロック解除ボタンである。
【００１７】
図１は、本実施例におけるグリップ部２０内を模式的に示す上面視断面図である。図１において、グリップ部２０内には、４つの主電源電池２１〜２４と、外部メモリ２５が取り外し可能に装着されるメモリソケット（メモリスロット：媒体装着部）２６とが収容されている。メモリソケット２６は、外部メモリ２５が挿入されるスロットを有する。外部メモリ２５としては、半導体メモリ等のカード型メモリが用いられる。
【００１８】
４つの主電源電池２１〜２４はそれぞれほぼ同一径を有する円筒形状に形成されており、その外周面である円筒面の曲率中心軸（図１の紙面に垂直な軸：例えば、ｏ，ｏ′）が、グリップ部２０の上下方向に互いに平行に延びるように配置されている。なお、これら主電源電池２１〜２４は、図示しないグリップ部２０の底面側からグリップ部２０に対して装填および取り出しが可能である。
【００１９】
２７はメモリソケット２６に装着された外部メモリ２５に電気的に接続される不図示のコネクタが実装された基板である。該コネクタは、基板２７を介して不図示のカメラＣＰＵや画像処理回路に接続されている。
【００２０】
また、メモリソケット２６に対する外部メモリ２５の着脱を行うための空間（メモリ着脱空間Ｓ）を覆うメモリ蓋２８は、ヒンジ２８ａを介してグリップ部２０に回転可能に組み付けられている。メモリ蓋２８の先端にはラッチ爪２８ｂが設けられており、該ラッチ爪２８ｂがグリップ部２０の内面に係合することによってメモリ蓋２８は閉じ状態にロックされる。
【００２１】
そして、本実施例では、４つの主電源電池２１〜２４のうち第１の電池（第１の部材）２１と第４の電池（第２の部材）２４とをグリップ部２０の前後方向（図１における下側と上側の方向）に離して配置し、その間にグリップ部２０の左右方向に延びるようにメモリソケット２６を配置している。また、第２の電池２２は、第１の電池２１の前側であって、グリップ部２０の前端曲面に沿うように配置されている。さらに、第３の電池２３は、第４の電池（第２の部材）２４の右側（図２に示した撮影光軸Ｅに近い側）に配置されている。
【００２２】
さらに、グリップ部２０には、第１の電池２１と第４の電池２４のうちグリップ部２０の左外側に近い領域で互いに向かい合う１／４円弧面２１ａ，２４ａに沿うように仕切壁２０ａ，２０ｂが形成されている。これら仕切壁２０ａ，２０ｂは、メモリソケット２６の装填口からグリップ部２０の外観面まで、互いの間隔が広がるように円弧上に延びている。これにより、メモリソケット２６の装填口とグリップ部２０の外観面との間に、メモリソケット２６の装填口側からクリップ部２０の外観面側に向かって広がる扇形のメモリ着脱空間Ｓが形成される。
【００２３】
以上の構成において、外部メモリ２５は、撮影者の指２９で押されることにより、グリップ部２０の左側方からメモリ着脱空間Ｓを通してメモリソケット２６内に挿入され、装着される。
【００２４】
図１には、メモリソケット２６に装着された外部メモリ２５の位置を示している。この状態において、外部メモリ２５の一部は、メモリソケット２６の装填口からメモリ着脱空間Ｓ内に突出している。しかも、外部メモリ２５の突出側の端部２５ａは、グリップ部２０内に装填されている第１および第４の電池２１，２４の曲率中心軸ｏ，ｏ′を結んだ線（一点鎖線で示す）よりも長さΔｘｏだけグリップ部２０の左外側に近い位置にある。これにより、後述するように、指２９を使った外部メモリ２５の装着および取り出しを容易に行うことができる。
【００２５】
図３（ａ）〜図３（ｄ）には、本実施例において、外部メモリ２５の装着操作の様子を示している。外部メモリ２５を装着する場合は、まずメモリ蓋２８のラッチ爪２８ｂの係合を解除してメモリ蓋２８を開き、メモリ着脱空間Ｓを露出させる（図３（ａ））。次に、外部メモリ２５をメモリ着脱空間Ｓを通してメモリソケット２６に挿入し（図３（ｂ））、メモリソケット２６内に設けられたバネ（図示せず）の付勢力に抗して指２９で外部メモリ２５の端面を押し、メモリソケット２６内に押し込む（図３（ｃ））。そして、外部メモリ２５をメモリソケット２６に設けられた不図示の係止機構によって係止されるまで押し込み（図３（ｄ））、最後にメモリ蓋２８を閉じて装着が完了する。
【００２６】
図３（ｄ）に示す外部メモリ２５が係止機構によって係止された状態で、前述したように、外部メモリ２５の外側の端部２５ａが、第１および第４の電池２１，２４の曲率中心軸ｏ，ｏ′を結んだ線（一点鎖線で示す）よりも長さΔｘｏだけメモリ着脱空間Ｓ内に突出している。
【００２７】
一方、図４（ａ）〜図４（ｄ）には、本実施例において、外部メモリ２５の取り外し操作の様子を示している。外部メモリ２５を取り外す場合には、まずメモリ蓋２８のラッチ爪２８ｂとグリップ部との係合を解除し、メモリ蓋２８を開いて外部メモリ２５の端部を露出させる（図４（ａ））。次に、メモリ着脱空間Ｓに指２９を入れ（図４（ｂ））、外部メモリ２５のメモリ着脱空間Ｓ内に突出している端部をΔｘ１だけ押し込む（図４（ｃ））。すると、メモリソケット２６内の係止機構による係止が外れ、バネの付勢力によって外部メモリ２５が左外側にΔｘ２だけ押し出される（図４（ｄ））。この後は、押し出された外部メモリ２５を指２９で挟んで引き出すことにより、外部メモリ２５をグリップ部２０（カメラボディ１）から取り外すことができる。
【００２８】
このようにして外部メモリ２５をメモリソケット２６に対して装着したり取り外したりする際に、メモリ着脱空間Ｓを形成している仕切壁２０ａ，２０ｂ、つまりは第１および第４の電池２１，２４の１／４円弧部２１ａ，２４ａがグリップ部２０の左外側に向かって広がるように形成されているので、該メモリ着脱空間Ｓ内に無理なく（仕切壁２０ａ，２０ｂによって邪魔されることなく）指２９を入れることができる。したがって、外部メモリ２５の着脱操作を容易に行うことができる。
【００２９】
また、本実施例では、第１の電池２１と第４の電池２４との間にメモリソケット２６を配置したが、このことによるグリップ部２０やカメラボディ１の大型化は生じない。つまり、カメラボディ１のコンパクト化を阻害することなく、外部メモリ２５の着脱操作性を向上させることができる。
【００３０】
なお、本実施例では、曲面部を有する部材として、電池を用いた場合について説明したが、カメラボディ内に設けられたモータやプランジャ等のアクチュエータおよびコンデンサ等の電気素子であって曲面部を有しているものであれば何であっても構わない。
【実施例２】
【００３１】
図５には、本発明の実施例２である電子機器としての一眼レフデジタルカメラのうちグリップ部の上面視断面での構成を示している。
【００３２】
図５において、グリップ２０内には、４つの主電源電池２１〜２４と、外部メモリ４０が取り外し可能に装着されるメモリソケット（媒体装着部）４１とが収容されている。４つの主電源電池２１〜２４はそれぞれほぼ同一径を有する円筒形状に形成されており、その外周面である円筒面の曲率中心軸（図５の紙面に垂直な軸：例えば、ｏ，ｏ′）が、グリップ部２０の上下方向に互いに平行に延びるように配置されている。なお、これら主電源電池２１〜２４は、図示しないグリップ部２０の底面側からグリップ部２０に対して装填および取り出しが可能である。外部メモリ４０としては、半導体メモリ等のカード型メモリが用いられる。
【００３３】
４３はメモリソケット４１に装着された外部メモリ４０に電気的に接続される不図示のコネクタが実装された基板である。該コネクタは、基板４３を介して不図示のカメラＣＰＵや画像処理回路に接続されている。
【００３４】
また、メモリソケット４１に対する外部メモリ４０の着脱を行うための空間（後述するメモリ着脱空間Ｓ）を覆うメモリ蓋２８は、ヒンジ２８ａを介してグリップ部２０に回転可能に組み付けられている。メモリ蓋２８の先端にはラッチ爪２８ｂが設けられており、該ラッチ爪２８ｂがグリップ部２０の内面に係合することによってメモリ蓋２８は閉じ状態にロックされる。
【００３５】
そして、本実施例では、４つの主電源電池２１〜２４のうち第１の電池（第１の部材）２１と第４の電池（第２の部材）２４とをグリップ部２０の前後方向（図５における下側と上側の方向）に離して配置し、その間にグリップ部２０の左右方向に延びるようにメモリソケット４１を配置している。また、第２の電池２２は、第１の電池２１の前側であって、グリップ部２０の前端曲面に沿うように配置されている。さらに、第３の電池２３は、第４の電池（第２の部材）２４の右側（撮影光軸Ｅに近い側）に配置されている。
【００３６】
さらに、グリップ部２０には、第１の電池２１と第４の電池２４のうちグリップ部２０の左外側に近い領域で互いに向かい合う１／４円弧面２１ａ，２４ａに沿うように仕切壁２０ａ，２０ｂが形成されている。これら仕切壁２０ａ，２０ｂは、メモリソケット４１の装填口からグリップ部２０の外観面まで、互いの間隔が広がるように円弧上に延びている。これにより、メモリソケット４１の装填口とグリップ部２０の外観面との間に、メモリソケット４１の装填口側からクリップ部２０の外観面側に向かって広がる扇形のメモリ着脱空間Ｓが形成される。
【００３７】
該メモリ着脱空間Ｓ内には、メモリソケット４１の上端部に設けられた操作ボタン４２が配置されている。該操作ボタン４２は、外部メモリ４０の取り出しに際して図の右方向（撮影光軸Ｅ側）に押し込み操作されることにより、外部メモリ４０を装着位置から取り外し方向に押し出す押し出し機構（図示せず）を動作させるものである。
【００３８】
以上の構成において、外部メモリ４０は、撮影者の指２９で押されることにより、グリップ部２０の左側方からメモリ着脱空間Ｓを通してメモリソケット４１内に挿入され、装着される。
【００３９】
図５には、メモリソケット４１に外部メモリ４０が装着された状態を示している。この状態において、操作ボタン４２は、メモリソケット４１の装填口からメモリ着脱空間Ｓ内に突出している。操作ボタン４２の端部は、グリップ部２０内に装填されている第１および第４の電池２１，２４の曲率中心軸ｏ，ｏ′を結んだ線（一点鎖線で示す）よりも長さΔｘ５だけグリップ部２０の左外側に近い位置にある。これにより、後述するように、指２９を使った外部メモリ４０の装着と操作ボタン４２の操作による取り出しを容易に行うことができる。
【００４０】
図６（ａ）〜図６（ｄ）には、本実施例において、外部メモリ４０の装着操作の様子を示している。外部メモリ４０を装着する場合は、まずメモリ蓋２８のラッチ爪２８ｂの係合を解除してメモリ蓋２８を開き、メモリ着脱空間Ｓを露出させる（図６（ａ））。次に、外部メモリ４０をメモリ着脱空間Ｓを通してメモリソケット４１に挿入し（図６（ｂ））、メモリソケット４１内に設けられた摩擦材（図示せず）の摩擦力に抗して指２９で外部メモリ４０の端部４０ａを押し、メモリソケット４１内に押し込む（図６（ｃ））。そして、外部メモリ４０をメモリソケット４１に設けられた不図示の係止機構によって係止されるまで押し込む（図６（ｄ））。このとき、操作ボタン４２は、外部メモリ４０の装着操作に連動して、もとの位置からΔａだけ突出する。また、第１および第４の電池２１，２４の曲率中心軸ｏ，ｏ′を結んだ線を基準とすると、外部メモリ４０の外側の端部４０ａが、第１および第４の電池２１，２４の曲率中心軸ｏ，ｏ′を結んだ線（一点鎖線で示す）よりも長さΔｘ５だけメモリ着脱空間Ｓ内に突出している。そして、最後にメモリ蓋２８を閉じて装着が完了する。
【００４１】
一方、図７（ａ）〜図７（ｄ）には、本実施例において、外部メモリ４０の取り外し操作の様子を示している。外部メモリ４０を取り外す場合には、まずメモリ蓋２８のラッチ爪２８ｂとグリップ部との係合を解除し、メモリ蓋２８を開いて外部メモリ４０の端部を露出させる（図７（ａ））。次に、メモリ着脱空間Ｓに指２９を入れ（図７（ｂ））、操作ボタン４２をΔｘ６だけ押し込む（図７（ｃ））。すると、メモリソケット４１内の押し出し機構が動作し、外部メモリ４０が左外側にΔｘ７だけ押し出される（図７（ｄ））。この後は、押し出された外部メモリ４０を指２９で挟んで引き出すことにより、外部メモリ４０をグリップ部２０（カメラボディ１）から取り外すことができる。
【００４２】
このようにして外部メモリ４０をメモリソケット４１に対して装着したり取り外したりする際に、メモリ着脱空間Ｓを形成している仕切壁２０ａ，２０ｂ、つまりは第１および第４の電池２１，２４の１／４円弧部２１ａ，２４ａがグリップ部２０の左外側に向かって広がるように形成されているので、該メモリ着脱空間Ｓ内に無理なく（仕切壁２０ａ，２０ｂによって邪魔されることなく）指２９を入れることができる。したがって、外部メモリ４０の着脱操作を容易に行うことができる。
【００４３】
また、本実施例では、第１の電池２１と第４の電池２４との間にメモリソケット４１を配置したが、このことによるグリップ部２０やカメラボディ１の大型化は生じない。つまり、カメラボディ１のコンパクト化を阻害することなく、外部メモリ４０の着脱操作性を向上させることができる。
【００４４】
なお、本実施例では、曲面部を有する部材として、電池を用いた場合について説明したが、カメラボディ内に設けられたモータやプランジャ等のアクチュエータおよびコンデンサ等の電気素子であって曲面部を有しているものであれば何であっても構わない。 
【実施例３】
【００４５】
上記実施例１，２では、４つの円筒形状の電池とメモリソケットのレイアウト例を示したが、本実施例では、図８に示すように、２つの円筒形状が１つにつながった形を有する主電源電池３０とフラッシュ発光用のコンデンサ３１とメモリソケット２６のレイアウト例について説明する。
【００４６】
図８は、本実施例におけるグリップ部２０内を模式的に示す上面視断面図である。図８において、グリップ２０内には、主電源電池（第１の部材）３０と、外部メモリ２５が取り外し可能に装着されるメモリソケット（媒体装着部）２６と、フラッシュ発光用のコンデンサ（第２の部材）３１とが配置されている。外部メモリ２５としては、半導体メモリ等のカード該メモリが用いられる。
【００４７】
主電源電池３０は、左右に半円筒部３０ｂ，３０ｃを有するとともに、背面側（図８の上側）に平面部３０ａを有する。前側は、１／８円弧面と平面とが組み合わされて構成されている。
【００４８】
コンデンサ３１は、円筒形状を有する。そして、主電源電池３０とコンデンサ３１は、半円筒部３０ｂの外周面（半円筒面）の曲率中心軸（図１の紙面に垂直な軸）ｏとコンデンサ３１の外周面である円筒面の曲率中心軸ｏ′とが、グリップ部２０の上下方向に互いに平行に延びるように配置されている。なお、主電源電池３０は、図示しないグリップ部２０の底面側からグリップ部２０に対して装填および取り出しが可能である。コンデンサ３１は、グリップ部２０内に固定されている。
【００４９】
他の構成は、実施例１と同様であり、共通する構成要素には実施例１と同符号を付して説明に代える。
【００５０】
本実施例では、グリップ部２０に、電池３０とコンデンサ３１におけるグリップ部２０の左外側に近い領域で互いに向かい合う、半円筒部３０ｂの１／４円弧面３０ｂ１およびコンデンサ３１の１／４円弧面３１ａに沿うように仕切壁２０ａ，２０ｂが形成されている。これら仕切壁２０ａ，２０ｂは、メモリソケット２６の装填口からグリップ部２０の外観面まで、互いの間隔が広がるように円弧上に延びている。これにより、メモリソケット２６の装填口とグリップ部２０の外観面との間に、メモリソケット２６の装填口側からクリップ部２０の外観面側に向かって広がる扇形のメモリ着脱空間Ｓが形成される。
【００５１】
以上の構成において、外部メモリ２５は、撮影者の指２９で押されることにより、グリップ部２０の左側方からメモリ着脱空間Ｓを通してメモリソケット２６内に挿入され、装着される。
【００５２】
図８には、メモリソケット２６に装着された外部メモリ２５の位置を示している。この状態において、外部メモリ２５の一部は、メモリソケット２６の装填口からメモリ着脱空間Ｓ内に突出している。しかも、外部メモリ２５の突出側の端部２５ａは、グリップ部２０内に装填されている主電源電池３０における１／４円弧面３０ｂ１の曲率中心軸ｏとコンデンサ３１の１／４円弧面３１ａ（円筒面）の曲率中心軸ｏ′とを結んだ線（一点鎖線で示す）よりも長さΔｘｏだけグリップ部２０の左外側に近い位置にある。これにより、実施例１と同様に、指２９を使った外部メモリ２５の装着および取り出しを容易に行うことができる。
【００５３】
以上説明したように、上記各実施例では、メモリソケットの装着口付近を該メモリソケットの厚み方向にて挟むように配置された２つの部材の曲線部によって、該装着口からカメラボディの外側に向かって広がる扇形のメモリ着脱空間Ｓを形成するので、カメラボディ（グリップ部）の大型化を招くことなく、メモリソケットに対する外部メモリの良好な着脱操作性を得ることができる。また、カメラボディの外面から上記のような形状のメモリ着脱空間を介在させてメモリソケットを設けたことにより、メモリソケットの防塵効果も得られる。
【００５４】
なお、上記各実施例では、一眼レフデジタルカメラについて説明したが、本発明はこれ以外にレンズ一体型のデジタルカメラ、ビデオカメラ等の撮像装置はもとより、携帯端末等、様々な電子機器に適用することができる。
【図面の簡単な説明】
【００５５】
【図１】本発明の実施例１であるカメラのグリップ部の上面視断面図。
【図２】実施例１のカメラの外観斜視図。
【図３】実施例１における外部メモリの装着操作の様子を示す上面視断面図。
【図４】実施例１における外部メモリの取り外し操作の様子を示す上面視断面図。
【図５】本発明の実施例２であるカメラのグリップ部の上面視断面図。
【図６】実施例２における外部メモリの装着操作の様子を示す上面視断面図。
【図７】実施例２における外部メモリの取り外し操作の様子を示す上面視断面図。
【図８】本発明の実施例３であるカメラのグリップ部の上面視断面図。
【図９】従来のカメラのグリップ部の上面視断面図。
【符号の説明】
【００５６】
１  カメラボディ
２  フラッシュユニット
７  交換レンズ
Ｅ  撮影光軸
２０  グリップ部
２０ａ，２１ａ  仕切壁
２１〜２４，３０  主電源電池
２１ａ，２４ａ，３０ｂ１，３０ａ  １／４円弧面
２５，４０  外部メモリ
２６，４１  メモリソケット
２７  基板
２８  メモリ蓋
２９  指
３１  コンデンサ
４２  操作ボタン
【図１】
2006319806.tif 000003
【図２】
2006319806.tif 000004
【図３】
2006319806.tif 000005
【図４】
2006319806.tif 000006
【図５】
2006319806.tif 000007
【図６】
2006319806.tif 000008
【図７】
2006319806.tif 000009
【図８】
2006319806.tif 000010
【図９】
2006319806.tif 000011